(57)【要約】【課題】本発明は、水への分散性／水解性がより良好であり、体液が衣類を濡らすことを効果的に防止できる水解性の吸収性物品を提供することを目的とする。【解決手段】本発明は、男性用の水解性吸収性物品１であって、複数枚の水解性クレープ紙の積層体からなる吸収体と、吸収体の衣類側に位置する体液浸透防止フィルムと、水解性吸収性物品１の外側表面を構成し、吸収体及び体液浸透防止フィルムを覆い、水溶性高分子繊維を含む水解性の外側クレープ紙４と、を有し、水解性クレープ紙、体液浸透防止フィルム、及び外側クレープ紙４それぞれのＪＩＳ  Ｐ  ４５０１ほぐれ易さ試験の結果が１００秒以内であり、外側クレープ紙４がエンボスパターンを有する水解性吸収性物品１を提供する。【選択図】図１
2018082842.tif 000002
【特許請求の範囲】
【請求項１】
男性用の水解性吸収性物品であって、
複数枚の水解性クレープ紙の積層体からなる吸収体と、
吸収体の衣類側に位置する体液浸透防止フィルムと、
水解性吸収性物品の外側表面を構成し、吸収体及び体液浸透防止フィルムを覆い、水溶性高分子繊維を含む、水解性の外側クレープ紙と、を有し、
水解性クレープ紙、体液浸透防止フィルム、及び外側クレープ紙それぞれのＪＩＳ  Ｐ  ４５０１ほぐれ易さ試験の結果が１００秒以内であり、
前記外側クレープ紙がエンボスパターンを有する水解性吸収性物品。
【請求項２】
前記外側クレープ紙が有するエンボスパターンは、エンボスパターンの深さが０．５ｍｍ以上１．５ｍｍ以下であり、エンボスパターンの面積が、０．５ｍｍ２／個以上２．５ｍｍ２／個以下であり、エンボスパターンの面積率が５％以上６０％以下である、請求項１に記載の水解性吸収性物品。
【請求項３】
吸収体を構成する、水解性クレープ紙は、一枚あたりの坪量が１６ｇ／ｍ２以上２３ｇ／ｍ２以下である、請求項１又は２に記載の水解性吸収性物品。
【請求項４】
外側クレープ紙の坪量が、３０ｇ／ｍ２以上５０ｇ／ｍ２以下である、請求項１から３のいずれかに記載の水解性吸収性物品。
【請求項５】
外側クレープ紙に含まれる水溶性高分子繊維が、カルボキシメチルセルロース繊維、又はポリビニルアルコール繊維である、請求項１から４のいずれかに記載の水解性吸収性物品。
【請求項６】
体液浸透防止フィルムが、ポリビニルアルコールフィルムである、請求項１から５のいずれかに記載の水解性吸収性物品。
【請求項７】
一辺が１２０ｍｍ以上１５０ｍｍ以下の略正方形の形状を有する、請求項１から６のいずれかに記載の水解性吸収性物品。
【発明の詳細な説明】
【技術分野】
【０００１】
本発明は、男性用の水解性吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿等の体液は、トップシートを通って吸収体に吸収される。この吸収性物品は、想定される使用状況における体液の排出量に応じて、様々な吸収量のものが存在する。これらのうち、比較的少量の排出量の体液を吸収するものとしては、軽失禁ライナーや軽失禁パッド等が知られている。
【０００３】
ところで、軽失禁のための男性用の吸収性物品を破棄する際には、廃棄場所に困窮する場合が多い。例えば、女性用の吸収性物品を廃棄する際には、女性用トイレに通常設置されているごみ箱に廃棄することが多い。一方で、男性用トイレにはごみ箱が設置されていない場合も多く、男性用の吸収性物品を廃棄する際には、廃棄場所に問題が生じることが多い。
【０００４】
そこで、軽失禁ライナーや軽失禁パッドにおいては、これを水解性の材料から構成し、トイレに廃棄できる製品も知られている。これらの水解性の吸収性物品は、使用後にトイレに廃棄することも可能であり、使用後の後処理が容易であるという利点がある。このような水解性の吸収性物品としては、例えば、特許文献１に、トップシートと、バックシートと、トップシート及びバックシートの間に介在する吸収体とを有する吸収性物品において、吸収体と、トップシート及びバックシートとが、吸収性物品の主たる吸収領域において、熱的接合手段により非連続の接合パターンで接合されており、この吸収領域において吸収体とトップシートとが非連続の接合パターンで接合されている部位全体の面積が、この吸収領域の１％から５０％である水解性の吸収性物品が開示されている。
【先行技術文献】
【特許文献】
【０００５】
【特許文献１】特開２００２−０３５０２６号公報
【発明の概要】
【発明が解決しようとする課題】
【０００６】
しかしながら、特許文献１に記載の水解性吸収性物品も含め、従来の水解性吸収性物品は、トイレに廃棄したときの分散性／水解性が必ずしも十分なものではなく、トイレのつまりを起こす可能性があった。一方で、水解性の良好な材料のみで水解性吸収性物品を構成した場合、水解性吸収性物品が体液を吸収した後、衣類を濡らしてしまうこともある。したがって、本発明は、以上の課題に鑑みてなされたものであり、水への分散性／水解性がより良好であり、体液が衣類を濡らすことを効果的に防止できる水解性の吸収性物品を提供することを目的とする。
【課題を解決するための手段】
【０００７】
本発明の発明者らは、上記課題を解決するため、鋭意研究を行った。その結果、複数枚の水解性クレープ紙の積層体からなる吸収体と、体液浸透防止フィルムと、それらを覆うエンボスパターンを有する外側クレープ紙と、を有し、所定のほぐれ易さを有する水解性吸収性物品によれば、上記の課題を解決できることを見出し、本発明を完成するに至った。具体的には、本発明は、以下のものを提供する。
【０００８】
（１）本発明の第１の態様は、男性用の水解性吸収性物品であって、複数枚の水解性クレープ紙の積層体からなる吸収体と、吸収体の衣類側に位置する体液浸透防止フィルムと、水解性吸収性物品の外側表面を構成し、吸収体及び体液浸透防止フィルムを覆い、水溶性高分子繊維を含む水解性の外側クレープ紙と、を有し、水解性クレープ紙、体液浸透防止フィルム、及び外側クレープ紙それぞれのＪＩＳ  Ｐ  ４５０１ほぐれ易さ試験の結果が１００秒以内であり、前記外側クレープ紙がエンボスパターンを有する水解性吸収性物品である。
（２）（１）に記載の水解性吸収性物品において、前記外側クレープ紙が有するエンボスパターンは、エンボスパターンの深さが０．５ｍｍ以上１．５ｍｍ以下であり、エンボスパターンの面積が、０．５ｍｍ２／個以上２．５ｍｍ２／個以下であり、エンボスパターンの面積率が５％以上６０％以下であってもよい。
（３）（１）又は（２）に記載の水解性吸収性物品において、吸収体を構成する、水解性クレープ紙は、一枚あたりの坪量が１６ｇ／ｍ２以上２３ｇ／ｍ２以下であってもよい。
（４）（１）から（３）のいずれかに記載の水解性吸収性物品において、外側クレープ紙の坪量が、３０ｇ／ｍ２以上５０ｇ／ｍ２以下であってもよい。
（５）（１）から（４）のいずれかに記載の水解性吸収性物品において、外側クレープ紙に含まれる水溶性高分子が、カルボキシメチルセルロース繊維、又はポリビニルアルコール繊維であってもよい。
（６）（１）から（５）のいずれかに記載の水解性吸収性物品において、体液浸透防止フィルムが、ポリビニルアルコールフィルムであってもよい。
（７）（１）から（６）のいずれかに記載の水解性吸収性物品において、一辺が１２０ｍｍ以上１５０ｍｍ以下の略正方形の形状を有していてもよい。
【発明の効果】
【０００９】
本発明の水解性吸収性物品においては、吸収体及び外側表面を、水解性のクレープ紙で構成したので、トイレ等に廃棄された際にも、水中に迅速に分散／水解し、トイレに詰まり等を起こすことがない。また、吸収体の衣類側に、所定の水解性を有する体液浸透防止フィルムを設けたので、吸収体が体液を吸収した際にも、衣類を濡らすことを防止することができる。また、外側クレープ紙がエンボスパターンを有するため、着用者の肌に外側クレープ紙が当接する面積を減らすことができ、着用感を優れたものにすることができる。
【図面の簡単な説明】
【００１０】
【図１】水解性吸収性物品の衣類側表面の斜視図である。
【図２】図１における水解性吸収性物品のＡ−Ａ断面図である。
【図３】水解性吸収性物品の使用状態を示す、身体側表面の平面図である。
【発明を実施するための形態】
【００１１】
以下、本発明について図面を参照して詳細に説明する。なお、本実施形態の説明においては、全体を通して同じ要素には同じ符号を付している。本明細書における以下の説明において、体液とは、尿、血液、軟便中の水分等の体内から体外に排出される液体をいう。さらに、水解性吸収性物品１の着用時とは、水解性吸収性物品１の装着時及び装着後の少なくとも一方を示す。なお、本明細書の説明において、水解性吸収性物品１の長手方向とは、水解性吸収性物品１が着用されたときに着用者の前後に亘る方向であり、水解性吸収性物品１の幅方向とは、長手方向に対して横又は直交する方向である。さらに、本明細書において、水解性吸収性物品１の身体側表面とは、水解性吸収性物品１の着用時に着用者の肌に当接する表面を指し、衣類側表面とは、水解性吸収性物品１の着用時に着用者の衣類に当接する表面を指す。本明細書においては、水解性吸収性物品１の身体側表面側を上側と称し、衣類側表面側を下側と称することがある。
【００１２】
＜水解性吸収性物品＞
図１は、水解性吸収性物品１の斜視図であり、図２は、水解性吸収性物品１の断面図である。本発明の水解性吸収性物品１は、男性用のものであって、複数枚の水解性クレープ紙２１の積層体からなる吸収体２と、吸収体２の衣類側に位置する体液浸透防止フィルム３と、水解性吸収性物品１の外側表面を構成し、吸収体２及び体液浸透防止フィルム３を覆い、水溶性高分子繊維を含む、水解性の外側クレープ紙４と、を有し、水解性クレープ紙２１、体液浸透防止フィルム３、及び外側クレープ紙４のそれぞれのＪＩＳ  Ｐ  ４５０１ほぐれ易さ試験の結果が１００秒以内のものである。
【００１３】
［吸収体］
（水解性クレープ紙）
上述のとおり、吸収体２は、複数枚の水解性クレープ紙２１の積層体からなるものであり、この積層体により、体液を吸収して保持する役割を果たすものである。水解性クレープ紙２１は木材パルプ１００質量％からなるものであってもよく、古紙パルプ、非木材パルプ、脱墨パルプを含んでもよい。
【００１４】
また、水解性クレープ紙２１は、環境負荷を低減するため、ミルクカートン（牛乳パック）由来の古紙パルプを含んでいてもよい。ミルクカートン由来の古紙パルプの使用量は、０質量％より多く６０質量％以下であることが好ましく、１０質量％以上５０質量％以下であることがより好ましい。ミルクカートン由来の古紙パルプは、針葉樹パルプが主体であり、水解性クレープ紙２１の強度を向上させやすいというメリットがある一方で、品質的にバラツキが大きく、含有割合が高過ぎると製品の品質に影響することがある。
【００１５】
本発明においては、上記のＮＢＫＰ、ＬＢＫＰ、ミルクカートン由来の古紙のパルプ１００質量部に対して、新聞や雑誌古紙等由来の脱墨パルプを２５質量部以下の範囲内で配合することもできる。脱墨パルプの含有率は０質量％以上２０質量％以下であることが好ましく、０質量％以上１０質量％以下であることがより好ましい。脱墨パルプも古紙であるため、これをパルプ原料に配合することにより、水解性クレープ紙２１の品質のバラツキが大きくなる。また、脱墨パルプは通常、蛍光染料を含んでおり、その含有率が２０質量％を超えると、水解性クレープ紙２１が蛍光染料を多く含むことになる場合がある。
【００１６】
（エンボス加工）
本発明においては、吸収体２に用いられる水解性クレープ紙２１にエンボス加工を施してもよい。エンボス加工を施すことにより、積層された、上下に隣接する水解性クレープ紙２１の間に空隙が形成され、この空隙で体液が保持されるため、吸収体２の体液保持能力や、吸液速度が向上する。水解性クレープ紙２１にエンボス加工を施す際には、ダブルエンボス加工を施してもよいし、シングルエンボス加工を施してもよいが、ダブルエンボス加工を施すことがより好ましい。シングルエンボスを施す場合、積層したシートの間隙を保持するために、シートを重ねて一度にエンボスを施さず、シート毎にエンボスを施した後、積層することが望ましい。また、上下に隣接する水解性クレープ紙２１の間に、効果的に空隙を形成させるため、エンボス加工を施した水解性クレープ紙２１の上下には、エンボス加工を施していない水解性クレープ紙２１を配置して、エンボス加工を施した水解性クレープ紙２１と、エンボス加工を施していない水解性クレープ紙２１とが、交互に積層されるようにしてもよい。
【００１７】
（水解性クレープ紙の積層枚数）
水解性クレープ紙２１の積層枚数は、水解性吸収性物品１の水解性及び吸収性能がバランスよく維持される範囲内において適宜選択することが好ましいが、６枚以上１２枚以下であることが好ましい。
【００１８】
（水解性クレープ紙の坪量）
また、水解性クレープ紙２１の坪量は、一枚あたり、１６ｇ／ｍ２以上２３ｇ／ｍ２以下であることが好ましく、１８ｇ／ｍ２以上２１ｇ／ｍ２以下であることがより好ましい。水解性クレープ紙２１の坪量が上記の範囲内のものであることにより、水解性吸収性物品１の水解性及び吸収性能がバランスよく維持される。
【００１９】
［体液浸透防止フィルム］
本発明の水解性吸収性物品１においては、吸収体２の衣類側に、体液浸透防止フィルム３が配置されている。吸収体２の衣類側に体液浸透防止フィルム３を配置することにより、吸収体２が体液を吸収した後においても、吸収体２に保持される体液が、体液浸透防止フィルム３の衣類側に浸透することを防止することができ、体液を吸収した水解性吸収性物品１が着用者の衣服を濡らすことを防止することができる。
【００２０】
体液浸透防止フィルム３としては、各種の水溶性フィルムを用いることができるが、より具体的には、ポリビニルアルコール、カルボキシメチルセルロース、メチルセルロース、ヒドロキシエチルメチルセルロース、ヒドロキシプロピルメチルセルロース、ヒドロキシプロピルセルロース、ポリエチレンオキシド、ポリビニルピロリドン、アルギン酸ナトリウム、ゼラチン、デンプン、プルラン等の水溶性高分子から構成される水溶性フィルムを用いることが好ましい。本発明においては、これらの中でも、体液の浸透防止能と水解性を両立したポリビニルアルコールフィルムを用いることが好ましい。体液浸透防止フィルム３の膜厚は、２０μｍ以上４０μｍ以下であることが好ましく、２５μｍ以上３５μｍ以下であることがより好ましい。体液浸透防止フィルム３の膜厚を、上記の範囲内のものとすることにより、体液の浸透防止能と水解性を両立させることができる。
【００２１】
［外側クレープ紙］
本発明においては、水解性クレープ紙２１の積層体からなる吸収体２と、体液浸透防止フィルム３と、水解性吸収性物品１の外側表面を構成し、吸収体２及び体液浸透防止フィルム３を覆う、外側クレープ紙４とを有している。この外側クレープ紙４は、木材パルプに水溶性高分子繊維を混抄したものであり、体液を吸収した後、容易に形態が崩壊しないように構成されている。外側クレープ紙４の坪量は、十分な強度を持たせる観点から、３０ｇ／ｍ２以上５０ｇ／ｍ２以下であることが好ましく、３８ｇ／ｍ２以上４２ｇ／ｍ２以下であることがより好ましい。
【００２２】
木材パルプとしては、ＮＢＫＰ（針葉樹晒クラフトパルプ）の含有率が６０質量％以上１００質量％以下であることが好ましく、７０質量％以上１００質量％以下であることがより好ましい。また、木材パルプは、ＬＢＫＰ（広葉樹晒クラフトパルプ）を含んでいてもよく、ＬＢＫＰの含有率が０質量％より多く４０質量％以下であることが好ましく、０％質量％より多く３０質量％以下であることがより好ましい。
【００２３】
（水溶性高分子繊維）
上述のとおり、外側クレープ紙４には、水溶性高分子繊維が混抄されており、これにより、外側クレープ紙４が体液を吸収した後においても、外側クレープ紙４が形態を維持できるようになっている。また、体液により外側クレープ紙４が湿潤状態となっても、シートが容易に千切れたり、繊維が脱落して人体を汚染したりすることを防止できる。
【００２４】
外側クレープ紙４に浸透させることができる水溶性高分子繊維としては、ポリビニルアルコール繊維、カルボキシメチルセルロース繊維等を用いることができ、特に限定されないが、本発明においては、カルボキシメチルセルロース繊維を用いることが好ましい。水溶性高分子繊維の外側クレープ紙４への配合量は、０．５％以上５．０％以下であることが好ましい。
【００２５】
外側クレープ紙４は、短冊状のクレープ紙を三つ折りにすることにより、袋体を形成し、この袋体の中に、吸収体２と体液浸透防止フィルム３を収納することもできる。この際、三つ折りにされることにより対向する短冊状の外側クレープ紙４の短手方向両端部は、熱圧着シールで封緘されることが好ましい。
【００２６】
（エンボスパターン）
本発明の水解性吸収性物品１において、外側クレープ紙４は、エンボスパターン４１を有する。これにより、着用者の肌に外側クレープ紙４が当接する面積を減らすことができ、着用感を優れたものにすることができる。なお、エンボスパターン４１は、エンボス加工によって形成された凹凸形状をいう。エンボスパターン４１は、シングルエンボスパターンやダブルエンボスパターンでもよいが、シングルエンボスパターンであることが好ましい。
【００２７】
本発明の水解性吸収性物品１において、外側クレープ紙４が有するエンボスパターン４１の深さは、０．５ｍｍ以上１．５ｍｍ以下であることが好ましく、０．７ｍｍ以上１．３ｍｍ以下であることがより好ましく、０．８ｍｍ以上１．１ｍｍ以下であることが更に好ましい。これにより、外側クレープ紙４の柔らかさを向上させることができ、着用感を優れたものにすることができる。
【００２８】
外側クレープ紙４が有するエンボスパターン４１の深さは、常法に従い、マイクロスコープ等を用いてエンボスパターン４１の高低差を測定して求めることができる。例えば、マイクロスコープとしては、ＫＥＹＥＮＣＥ社製の製品名「ワンショット３Ｄ測定マイクロスコープ  ＶＲ−３１００」を使用することができる。マイクロスコープの画像の観察・測定・画像解析ソフトウェアとしては、例えば、製品名「ＶＲ−Ｈ１Ａ」を使用することができる。
【００２９】
本発明の水解性吸収性物品１において、外側クレープ紙４が有するエンボスパターン４１の面積は、０．５ｍｍ２／個以上２．５ｍｍ２／個以下であることが好ましく、０．８ｍｍ２／個以上２．０ｍｍ２／個以下であることがより好ましく、１．０ｍｍ２／個以上１．５ｍｍ２／個以下であることが更に好ましい。また、エンボスパターン４１の面積率は、５％以上６０％以下であることが好ましく、８％以上４０％以下であることがより好ましく、１０％以上３０％以下であることが更に好ましい。これにより、着用者の肌に外側クレープ紙４が当接する面積を良好なものとすることができ、着用感を優れたものにすることができる。
【００３０】
外側クレープ紙４が有するエンボスパターン４１の面積及び面積率は、常法に従い、マイクロスコープ等を用いてエンボスパターン４１の高低差を測定して求めることができる。
【００３１】
［水解性吸収性物品の寸法］
水解性吸収性物品１は、一辺が１２０ｍｍ以上１５０ｍｍ以下の略正方形又は長方形の形状を有していることが好ましい。図３は、水解性吸収性物品１の使用状態を示す図面である。ここで、水解性吸収性物品１を使用する際には、対向する２角が上下に配置するように下着に装着して使用することが好ましい。本発明の水解性吸収性物品１を使用する際には、略正方形又は長方形の水解性吸収性物品１を収納可能なポケットを有する専用の下着と併せて使用してもよい。
【００３２】
［ほぐれ易さ］
水解性吸収性物品１は、水解性クレープ紙２１、体液浸透防止フィルム３、及び外側クレープ紙４のそれぞれのＪＩＳ  Ｐ  ４５０１ほぐれ易さ試験の結果が１００秒以内のものであり、特に湿潤時の強度の高い外側クレープ紙４であっても８０秒以内のものであることが好ましい。また、水解性吸収性物品１自体のＪＩＳ  Ｐ  ４５０１ほぐれ易さ試験の結果は、０．３ｇあたり８０秒以内であることが好ましく、６０秒以内であることがより好ましい。ほぐれ易さが上記の条件を満たし、製品重量が６．５ｇ以下であることで、水解性吸収性物品１をトイレに廃棄した際に、水中に迅速に分散するようになる。
【符号の説明】
【００３３】
１    水解性吸収性物品
２    吸収体
２１  水解性クレープ紙
３    体液浸透防止フィルム
４    外側クレープ紙
４１  エンボスパターン
【図１】
2018082842.tif 000003
【図２】
2018082842.tif 000004
【図３】
2018082842.tif 000005